(57)【要約】【課題】違和感を感ずることなく、しかも図柄の変化を目で追えて最終的にどの図柄の組み合わせで停止するかを予測できるようにする。【解決手段】パチンコ機等の遊技機に関し、例えば変動している図柄群が有効ライン上に第１の特定図柄の組み合わせ「０００」で表示されると、第１ラインおよび第２ラインで用いる図柄群６ａ，６ｂ，６ｃを全て同じ方向に１図柄（所定の第１図柄数）分だけ変動させる第１過程を行う。その後、左ライン（第１ライン）で用いる図柄群６ａを第１過程の変動方向と逆方向に２図柄（所定の第２図柄数）分だけ変動させ、有効ライン上に第２の特定図柄の組み合わせ「１１１」を表示する。こうして複数の変動ラインによる図柄群の変動を実現することができる。よって、遊技者は図柄の変化を目で追えて停止する図柄の予測も可能になり、図柄変動の前後で同じ配列であるので違和感を感じない。【選択図】図１
2010063938.tif 000002
【特許請求の範囲】
【請求項１】
複数の図柄からなる図柄群を変動または停止して表示可能な表示部を備え、変動している前記図柄群が有効ライン上に特定図柄の組み合わせで停止すると遊技者に特典を与える遊技機において、前記表示部には前記図柄群ごとに変動を行う複数の変動ラインを備え、前記複数の変動ラインに含まれる第１ラインおよび第２ラインで用いる図柄群は、ともに特定図柄の組み合わせを構成し得る図柄を含むとともに、当該図柄群の構成要素を互いに逆方向に配列し、変動している図柄群が前記有効ライン上に第１の特定図柄の組み合わせで表示されると、前記第１ラインおよび第２ラインで用いる図柄群を視認可能な状態で互いに逆方向に変動させ、その後に前記有効ライン上に第２の特定図柄の組み合わせを表示する遊技機。
【請求項２】
請求項１に記載した遊技機において、変動している図柄群が有効ライン上に第１の特定図柄の組み合わせで表示されると、第１ラインおよび第２ラインで用いる図柄群を全て同じ方向に所定の第１図柄数分だけ視認可能な状態で変動させる第１過程と、第１ラインまたは第２ラインのいずれか一方で用いる図柄群を前記第１過程の変動方向と逆方向に所定の第２図柄数分だけ視認可能な状態で変動させる第２過程とを行う遊技機。
【請求項３】
複数の図柄からなる図柄群を変動または停止して表示可能な表示部を備え、変動後の有効ライン上に特定図柄の組み合わせで停止すると遊技者に特典を与える遊技機において、前記表示部には前記図柄群ごとに変動を行う複数の変動ラインを備え、図柄の配列順で複数の特定図柄の組み合わせを形成可能であって前記複数の変動ラインに含まれる第１ラインおよび第２ラインで用いる図柄群は、ともに特定図柄の組み合わせを構成し得る図柄を含むとともに、当該図柄群の構成要素を互いに逆方向に配列し、変動している図柄群が前記有効ライン上に第１の特定図柄の組み合わせで表示されると、前記第１ラインおよび第２ラインで用いる図柄群を視認可能な状態で同じ方向に変動させ、その後に前記有効ライン上に第２の特定図柄の組み合わせを表示する遊技機。
【請求項４】
請求項１から３のいずれか一項に記載した遊技機において、第１の特定図柄の組み合わせと第２の特定図柄の組み合わせは、それぞれ同一図柄の組み合わせとした遊技機。
【発明の詳細な説明】
【技術分野】
【０００１】
本発明は、複数の図柄からなる図柄群を複数の変動ラインで変動または停止して表示する表示部を備えた遊技機に関する。
【背景技術】
【０００２】
遊技機の一つであるパチンコ機の多くは、複数の図柄からなる図柄群を変動または停止して表示する液晶表示器等を備える。例えば３段（３行）・３列で図柄を表示するパチンコ機では、パチンコ球が始動口に入賞すると図柄群を変動し始め、その後に停止して表示する。停止時に遊技者が大当たりか否かを判断可能なライン（以下「有効ライン」と呼ぶ。）は、３段分の横一列と左下がりまたは右下がりの斜め一列、すなわち５ラインである。なお、真ん中の列で１図柄しか表示しないパチンコ機の有効ラインは３ラインになる。こうした５ラインまたは３ラインの有効ラインを有するパチンコ機では、列方向に図柄群の変動を行う。もし各列に用いる図柄群を同一要素で構成するとともに同一方向に配列すると、リーチ（大当たりになる一歩前の状態）になる有効ラインは１ラインしか形成できない。このことは段方向に図柄群の変動を行うパチンコ機でも同様である。これらのパチンコ機では、大当たりを期待する遊技者の期待感を向上させることができない。
【０００３】
そこで、複数の有効ラインでリーチ（いわゆるダブルリーチ，トリプルリーチ）を形成可能にするため、左列，中列，右列にそれぞれ用いる図柄群を同一要素で構成し、かつ左列と右列とに用いる図柄群の構成要素を互いに逆方向に配列した。かかる技術は、例えば特許第２６８９０８１号公報に開示されている。複数列で用いる図柄群を同一要素で構成するとともに互いに逆方向に配列した従来のパチンコ機では、変動している図柄群が大当たり図柄で停止すると、複数列にかかる図柄群の変動を視認可能な状態で上記変動と同じ方向に再変動させて別の大当たり図柄を表示するのは困難である。そのため従来のパチンコ機は、遊技者が視認不能な速度（高速）で全図柄変動を行なったり、左列と右列とに用いる図柄群の構成要素を同一方向に配列し直してから全図柄変動を行なっていた。
【発明の概要】
【発明が解決しようとする課題】
【０００４】
しかし、遊技者が視認不能な速度で全図柄変動を行うパチンコ機では図柄の変化を目で追えないため、最終的にどの図柄の組み合わせで停止するかを例えば変動速度の減速率等に基づいて予測することができない。また、図柄群の構成要素を同一方向に配列し直してから全図柄変動を行うパチンコ機では、全図柄変動の前後で配列が異なるために違和感が生ずる。本発明はこのような点に鑑みてなされたものであり、複数の変動ラインで用いる図柄群の構成要素を互いに逆方向に配列した遊技機であっても、違和感を感ずることなく、しかも図柄の変化を目で追えて最終的にどの図柄の組み合わせで停止するかを予測可能にすることを目的とする。
【課題を解決するための手段】
【０００５】
課題を解決するための手段１は、請求項１に記載した通りである。ここで、請求項１に記載した用語については以下のように解釈する。当該解釈は他の請求項および発明の詳細な説明についても同様である。
（１）「停止」には完全な停止のみならず、一時停止をも含む。また「停止」の状態には静止する場合のみならず、基準位置を中心として任意の方向に任意の距離範囲で動く場合をも含む。
（２）「表示部」は一の表示器（あるいは表示装置）について図柄を表示可能な部位の全部であってもよく、当該部位の一部であってもよい。さらには一の表示器に限らず、複数の表示器で構成してもよい。
（３）「有効ライン」とは、変動後に停止した図柄の組み合わせを見た遊技者が大当たりか否かを判断可能なラインを意味する。有効ラインの数は、変動後に停止した図柄の数（すなわち段数や列数）によって異なる。
（４）「特定図柄の組み合わせ」は予め設定した図柄の組み合わせに限らず、遊技状態等に応じて変化し得る図柄の組み合わせをも含む。このことは第１の特定図柄の組み合わせ，第２の特定図柄の組み合わせについても同様である。なお、第１の特定図柄の組み合わせと第２の特定図柄の組み合わせとは、同一であってもよく、異なっていてもよい。
（５）「特典」とは、遊技者に有利な遊技状態を意味する。例えば図柄変動期間の短縮（以下「時短」と呼ぶ。），時短回数の設定，大当たりになる確率の変更（以下「確率変動」と呼ぶ。），確率変動回数の設定，入賞口に備えた蓋や羽根（翼片）の開閉等のような態様、あるいはこれらの少なくとも二つの組み合わせた態様がある。
（６）「複数ライン」は図柄群の変動が列方向の場合には列を跨いで、行方向の場合には行を跨いで形成される。
（７）「互いに逆方向に変動させ」るタイミングは、第１ラインおよび第２ラインについてほぼ同時であってもよく、非同時であってもよい。また、変動速度についても、ほぼ同じであってもよく、異なっていてもよい。
【０００６】
当該手段１によれば、まず複数の変動ラインに含まれる第１ラインおよび第２ラインで用いる図柄群は、ともに特定図柄の組み合わせを構成し得る図柄を含むとともに、当該図柄群の構成要素を互いに逆方向に配列する。そして、変動している図柄群が有効ライン上に第１の特定図柄の組み合わせで表示されると、第１ラインおよび第２ラインで用いる図柄群を視認可能な状態で互いに逆方向に変動させ、その後に有効ライン上に第２の特定図柄の組み合わせで表示する。よって第１ラインおよび第２ラインで用いる図柄群の構成要素を互いに逆方向に配列しても、複数の変動ラインの全てを用いる図柄群の変動を実現することができる。また、図柄群を視認可能な状態で変動させるので、遊技者は図柄の変化を目で追えて最終的にどの図柄の組み合わせで停止するかを例えば変動速度の減速率等に基づいて予測することが可能になる。さらに、変動の前後で図柄群の配列が同じであるので違和感がない。
【０００７】
課題を解決するための手段２は、請求項２に記載した通りである。当該手段２によれば、変動している図柄群が有効ライン上に第１の特定図柄の組み合わせで表示されると、次の二つの過程を行う。すなわち、第１ラインおよび第２ラインで用いる図柄群を全て同じ方向に所定の第１図柄数分だけ視認可能な状態で変動させる第１過程と、第１ラインまたは第２ラインのいずれか一方で用いる図柄群を第１過程の変動方向と逆方向に所定の第２図柄数分だけ視認可能な状態で変動させる第２過程である。第１過程と第２過程はいずれを先に行なってもよく、同じ過程を複数回繰り返してもよい。こうして結果として複数の変動ラインの全てを用いる図柄群の変動を実現することができ、また当該変動を非同時に行うので変動の変化が生じて面白い。
【０００８】
課題を解決するための手段３は、請求項３に記載した通りである。当該手段３によれば、まず図柄の配列順で複数の特定図柄の組み合わせを形成可能であって複数の変動ラインに含まれる第１ラインおよび第２ラインで用いる図柄群は、ともに特定図柄の組み合わせを構成し得る図柄を含むとともに、当該図柄群の構成要素を互いに逆方向に配列する。この場合、第１ラインおよび第２ラインで用いる図柄群にかかる図柄の配列順について、複数の特定図柄の組み合わせが形成可能であることが条件となる。そして、変動している図柄群が有効ライン上に第１の特定図柄の組み合わせで表示されると、第１ラインおよび第２ラインで用いる図柄群を視認可能な状態で同じ方向に変動させ、その後に有効ライン上に第２の特定図柄の組み合わせを表示する。よって第１ラインおよび第２ラインで用いる図柄群の構成要素を互いに逆方向に配列した場合に同一方向に変動させても、複数の変動ラインの全てを用いる図柄群の変動を実現することができる。また、図柄群を視認可能な状態で変動させるので、遊技者は図柄の変化を目で追えて最終的にどの図柄の組み合わせで停止するかを例えば変動速度の減速率等に基づいて予測することが可能になる。さらに、変動の前後で図柄群の配列が同じであるので違和感がない。
【０００９】
課題を解決するための手段４は、請求項４に記載した通りである。当該手段４によれば、第１の特定図柄の組み合わせと第２の特定図柄の組み合わせは、それぞれ同一図柄の組み合わせ（いわゆるゾロ目）とした。すなわち、変動している図柄群がゾロ目で停止し、その後さらに変動を行なって同一または他のゾロ目で停止する。よって第１ラインおよび第２ラインで用いる図柄群の構成要素を互いに逆方向に配列しても、複数の変動ラインの全てを用いる図柄群の変動をゾロ目で実現することができる。
【発明の効果】
【００１０】
本発明によれば、複数の変動ラインで用いる図柄群の構成要素を互いに逆方向に配列した場合であっても、遊技者は違和感を感ずることなく、図柄の変化を目で追えて最終的にどの図柄の組み合わせで停止するかを予測することができる。
【図面の簡単な説明】
【００１１】
【図１】本発明の概要を模式的に示す図である。
【図２】第１種パチンコ機の外観を示す正面図である。
【図３】メイン制御基板と表示制御基板の概略構成を示すブロック図である。
【図４】第１種始動口処理の手順を示すフローチャートである。
【図５】図柄変動処理の手順を示すフローチャートである。
【図６】変動表示処理の手順を示すフローチャートである。
【図７】リーチ処理の手順を示すフローチャートである。
【図８】再変動処理の手順を示すフローチャートである。
【図９】複数の変動ラインでそれぞれ用いる図柄群の配列例を示す図である。
【図１０】特別図柄表示器の表示例を示す図である。
【図１１】図１０に続く特別図柄表示器の表示例を示す図である。
【図１２】図１１に続く特別図柄表示器の表示例を示す図である。
【図１３】再変動処理の手順を示すフローチャートである。
【図１４】特別図柄表示器の表示例を示す図である。
【図１５】図１４に続く特別図柄表示器の表示例を示す図である。
【図１６】複数の変動ラインでそれぞれ用いる図柄群の配列例を示す図である。
【図１７】変動態様の一例を示す図である。
【図１８】変動態様の一例を示す図である。
【図１９】変動態様の一例を示す図である。
【発明を実施するための形態】
【００１２】
以下、本発明における実施の形態を図面に基づいて説明する。
〔実施の形態１〕
実施の形態１は遊技機の一つである第１種パチンコ機に本発明を適用した例であって、複数の変動ラインの全てを用いる図柄群の変動を非同時に行うことにより全図柄変動を実現する例について説明する。本実施の形態１は、図１〜図１２を参照しながら説明する。
【００１３】
はじめに、本発明の概要を模式的に示した図１を参照しながら説明する。図１に示す遊技機は、所要条件が成立すると所要の表示を指令する表示指令を出力する遊技制御部２や、変動ラインで用いる図柄群を記録する記録部６と、出力された表示指令を受けて記録部６に記録された図柄群を用いて表示部８に図柄群を変動または停止して表示可能な表示制御部４等を有する。記録部６に記録する図柄群６ａ，６ｂ，６ｃはそれぞれ請求項１の変動ラインに対応し、そのうち図柄群６ａは第１ラインで、図柄群６ｂ，６ｃは第２ラインでそれぞれ用いる。すなわち、図柄群６ａを第１グループに、図柄群６ｂ，６ｃを第２グループに区分する。当該図柄群６ａ，６ｂ，６ｃは特定図柄の組み合わせを構成し得る図柄を含むとともに、当該図柄群の構成要素を互いに逆方向に配列するが、ここでは説明を簡単にするために構成要素となる図柄を数字のみと仮定する。また、所要条件の成立としては、例えば遊技球が始動口に入賞したこと等がある。
【００１４】
表示制御部４が行う画像編集によって表示部８に表示される図柄は、大当たりになるケースでは例えば次のような過程で行う。
（過程１）所要条件が成立して変動ラインで図柄群６ａ，６ｂ，６ｃを変動し始め、その後に当該変動を停止する。図１の例では中段横一列の有効ライン上に図柄の組み合わせ「０００」で停止して大当たりになっている。
（過程２）第１ライン（第１グループ）および第２ライン（第２グループ）で用いる図柄群６ａ，６ｂ，６ｃを全て同じ方向に視認可能な状態で第１図柄数分だけ変動させる。図１の例では所定の第１図柄数分として画面下方向に全図柄を１図柄分だけ変動させ、図柄の組み合わせ「０００」を下段横一列の有効ライン上に移動させている。
（過程３）上記過程２の変動方向とは逆方向に視認可能な状態で図柄群６ａを第２図柄数分だけ変動させる。図１の例では画面上方向に左ラインの図柄群６ａを２図柄分だけ変動させ、中段横一列の有効ライン上に図柄の組み合わせ「１１１」を形成している。
（過程４）第１過程に相当する過程２と、第２過程に相当する過程３とをペアにして適当な回数だけ繰り返した後、最終的に確定する図柄の組み合わせを表示する。図１の例では中段横一列の有効ライン上に図柄の組み合わせ「７７７」が表示され、遊技者は大当たり遊技による多くの賞球を得る機会が与えられる。
【００１５】
このように、まず変動後の有効ライン上に第１の特定図柄の組み合わせ（図１の例では「０００」）で停止すると、第１ラインおよび第２ラインで用いる図柄群６ａ，６ｂ，６ｃを全て同じ方向に第１図柄数分（図１の例では１図柄分）だけ変動させる第１過程を行う。その後、第１ラインまたは第２ラインのいずれか一方（図１の例では左ライン）で用いる図柄群６ａを第１過程の変動方向と逆方向に第２図柄数分（図１の例では２図柄分）だけ変動させ、有効ライン上に第２の特定図柄の組み合わせ（図１の例では「１１１」）で停止させる。こうして第１ラインおよび第２ラインで用いる図柄群６ａ，６ｃの構成要素を互いに逆方向に配列して、複数の変動ラインの全てを用いる図柄群の変動を実現することができる。また、図柄群を視認可能な状態で変動させるので、遊技者は図柄の変化を目で追えて最終的にどの図柄の組み合わせで停止するかを例えば変動速度の減速率等に基づいて予測することが可能になる。さらに、変動の前後で図柄群の配列が同じであるので違和感がない。そして、複数の変動ラインの全てを用いる図柄群の変動を非同時に行うので、変動の変化が生じて面白い。
【００１６】
ここで、以下に示す変動の態様を行なってもよい。これらの態様であっても、遊技者は違和感を感ずることなく、図柄の変化を目で追えて最終的にどの図柄の組み合わせで停止するかを予測することができる。
（１）第１ラインで用いる図柄群６ａと、第２ラインで用いる図柄群６ｂ，６ｃとを視認可能な状態で互いに逆方向にほぼ同時に変動させる。図１の例では左ラインで用いる図柄群６ａと、中ラインで用いる図柄群６ｂおよび右ラインで用いる図柄群６ｃとを互いに逆方向にほぼ同時に変動させる。
（２）第１ラインおよび第２ラインで用いる図柄群にかかる図柄の配列順によっては、複数の特定図柄の組み合わせが形成可能である。図１における記録部６に記録した例では、図柄の組み合わせ「０００」と「５５５」の場合が該当する。この場合には、第１ラインおよび第２ラインで用いる図柄群を視認可能な状態で同じ方向に変動させ、有効ライン上に第２の特定図柄の組み合わせで停止させてもよい。このように同一方向に変動させた場合であっても、全図柄変動を実現することができる。
（３）図１の例では過程２の後に過程３を実行したが、過程３の後に過程２を実行してもよい。逆順で行なっても結果的には同じになる。
（４）図１の例では横一列に同じ図柄が揃うゾロ目のケースを示したが、斜め一列にゾロ目となるケースや、横一列または斜め一列に特定図柄の組み合わせ（例えば「１２３」等）で揃うケースなどについても同様に適用可能である。
【００１７】
次に、遊技機の一つである第１種パチンコ機に本発明を適用した例について、図２〜図１２を参照しながら説明する。図２には第１種パチンコ機であるパチンコ機１０の外観を正面図で示す。図２に示すパチンコ機１０の遊技盤面１２上には、通過するパチンコ球を検出するゲートセンサ５８を有するゲート３２、そのゲート３２を模しているがパチンコ球の通過を検出しない模擬ゲート２４，６２、入賞したパチンコ球を検出する始動口センサ６０を有する第１種始動口３０、ソレノイド５４によって開閉される蓋７４を有する大入賞口３４、後述するように特別図柄表示器２２や保留球ランプ２０，２８等を有する複合装置１４、その他に一般の入賞口や風車，釘などが適宜に配置されている。
【００１８】
模擬ゲート２４，６２のうち模擬ゲート２４には、普通図柄を変動または停止して表示する普通図柄表示器２６を備える。普通図柄表示器２６は一個または複数個の発光体（例えば緑色を発するＬＥＤと赤色を発するＬＥＤ）を有し、ゲート３２にパチンコ球が通過したときに変動が始まって所定時間経過後に停止する。具体的には発光体を点灯・点滅等させて変動を行い、特定の発光体（例えば赤色のＬＥＤ）が点灯状態または消灯状態で停止すると下部始動口６８の蓋を一定期間（例えば４秒間）だけ開ける。大入賞口３４は上記蓋７４の他に、パチンコ球が大入賞口開放期間（例えば２０秒間）内に入賞すると大当たり遊技状態を所要回数（例えば１６回）内で継続可能になるＶゾーン５６や、単に賞球を払い出す普通入賞口などを有する。入賞したパチンコ球を検出するために、Ｖゾーン５６にはＶゾーンセンサ５２を、上記普通入賞口には入賞センサ７０をそれぞれ有する。また、大入賞口３４の下方には入賞したパチンコ球を検出する始動口センサ６６を有する下部始動口６８を設ける。当該下部始動口６８は第１種始動口３０と同等の機能を備える。これらの第１種始動口３０や下部始動口６８は、いずれもパチンコ球が入賞すると通常の入賞口と同様に賞球を払い出す。よって、パチンコ機１０では第１種始動口３０や下部始動口６８にパチンコ球が入賞すると所要条件が成立することになる。
【００１９】
複合装置１４は、前景図柄と背景図柄を表示可能な特別図柄表示器２２、普通図柄の変動中にゲート３２を通過したパチンコ球の個数を表示する保留球ランプ２０、特別図柄の変動中に第１種始動口３０や下部始動口６８に入賞したパチンコ球の個数を表示する保留球ランプ２８等を有する。以下、保留球ランプ２８の表示によって認識できる数を「保留球数」と呼ぶ。表示部８に相当する特別図柄表示器２２は例えば液晶表示器を用い、文字，記号，符号，図形，映像などの図柄からなる特別図柄，装飾図柄等を表示する。この特別図柄表示器２２に表示する特別図柄は、第１種始動口３０や下部始動口６８にパチンコ球が入賞すると変動し始め、所定時間経過後に停止するようになっている。なお、特別図柄表示器２２として液晶表示器を用いたが、ＣＲＴやＬＥＤ表示器，プラズマ表示器などのように図柄が表示可能な如何なる表示器を用いてもよい。また、普通図柄表示器２６と特別図柄表示器２２とを別個に用いたが、同一の表示器で双方を兼用してもよい。保留球ランプ２０，２８は、それぞれが１個または複数個の発光体（例えば４個のＬＥＤ）からなる。
【００２０】
遊技盤面１２の下方には、遊技者がパチンコ機１０に対して所要の操作を行う操作ボタン４８（操作部）、賞球を含むパチンコ球を一時的に貯留する下皿４４や、タバコの吸い殻等を入れる灰皿４６、遊技者の手が触れているか否かを検出するタッチセンサ４２を備えたハンドル４０、賞球の受皿である上皿３８の内部に設けて音（効果音や音楽等）を出すスピーカ５０などを備える。また、ガラス枠１８（他に「金枠」とも呼ぶ。）の開放を検出する枠開放センサ３６や、パチンコ機１０の遊技内容等に合わせて適切な位置に配置されている発光体からなるランプ類１６をも備える。さらに、上皿３８には球貸を指令する球貸スイッチ６４と、プリペイドカードの返却を指令する返却スイッチ７２とを備える。
【００２１】
次に、パチンコ機１０によるパチンコ遊技を実現するメイン制御基板１００と、そのメイン制御基板１００から送られた表示指令（例えばコマンドブロック等を含む信号）を受けて特別図柄表示器２２に図柄を表示する表示制御基板２００とについて、これらの概略構成を示した図３を参照しながら説明する。これらのメイン制御基板１００および表示制御基板２００は、いずれも例えばパチンコ機１０の背面側に設ける。図３に示すメイン制御基板１００は遊技制御部２に相当し、ＣＰＵ（プロセッサ）１１０を中心に構成している。当該メイン制御基板１００は、遊技制御プログラムや所要のデータ（例えば大当たり値等）を格納するＲＯＭ１１２、各種の乱数や信号等のデータを格納するＲＡＭ１１４、各種の入力装置から送られた信号を受けてメイン制御基板１００内で処理可能なデータ形式に変換する入力処理回路１０２、ＣＰＵ１１０から送られた作動データを受けて各種の出力装置を作動させる出力処理回路１０４、ＣＰＵ１１０から送られた表示データを受けて表示体（発光体を含む）を適宜に表示制御（点灯，点滅を含む）する表示制御回路１０６、表示制御基板２００に対して所要の信号を送る通信制御回路１１６等を有する。これらの構成要素は、いずれもバス１１８に互いに結合されている。
【００２２】
ＣＰＵ１１０はＲＯＭ１１２に格納された遊技制御プログラムを実行してパチンコ機１０による遊技を実現するが、当該遊技制御プログラムには後述する第１種始動口処理等を実現するためのプログラムをも含む。ＲＯＭ１１２にはＥＰＲＯＭを用い、ＲＡＭ１１４にはＤＲＡＭを用いるが、他種のメモリを用いてもよい。他種のメモリとしては、ＥＥＰＲＯＭ，ＳＲＡＭ，フラッシュメモリ等がある。入力処理回路１０２が検出信号等を受ける入力装置としては、例えば操作ボタン４８、始動口センサ６０，６６、ゲートセンサ５８、入賞センサ（Ｖゾーンセンサ５２等）あるいは他のセンサ（枠開放センサ３６，タッチセンサ４２等）などがある。出力処理回路１０４が信号を出力する出力装置としては、例えばソレノイド５４等がある。表示制御回路１０６が表示制御する表示体としては、例えばランプ類１６や保留球ランプ２０，２８、あるいは普通図柄表示器２６等がある。通信制御回路１１６は、必要に応じてさらに図示しない枠制御基板やホールコンピュータ等に対しても所要のデータを送ることができる。
【００２３】
次に、表示制御基板２００は表示制御部４に相当し、ＣＰＵ２１０を中心に構成している。当該表示制御基板２００は、表示制御プログラムや所要の表示データ（例えば表示指令に対応する表示情報や、はずれ変動パターンを含む複数の変動パターン，複数のリーチパターン等）を格納するＲＯＭ２０２、表示指令，表示情報，入出力信号等を格納するＲＡＭ２０４、メイン制御基板１００から送られたデータを受信しする通信制御回路２０６、記録部６に相当して所要の図柄を記憶し指令を受けて生成するキャラクタジェネレータ２１２、ＣＰＵ２１０から送られた表示情報を受けて特別図柄表示器２２に加工した図柄を表示するＶＤＰ（Video Display Processor）２１４等を有する。これらの構成要素は、いずれもバス２０８に互いに結合されている。
【００２４】
ＣＰＵ２１０はＲＯＭ２０２に格納された表示制御プログラムを実行して特別図柄表示器２２に図柄を表示するが、当該表示制御プログラムには後述する図柄表示処理等を実現するためのプログラムをも含む。ＲＯＭ２０２はＥＰＲＯＭを用い、ＲＡＭ２０４にはＤＲＡＭを用いるが、上記他種のメモリを用いてもよい。通信制御回路２０６は、必要に応じてさらに図示しない枠制御基板やホールコンピュータ等に対しても所要のデータを送ることができる。キャラクタジェネレータ２１２が生成する図柄データとしては、例えば文字（英数字や漢字等），図柄（特別図柄，普通図柄，装飾図柄等），静止画，動画（アニメーション等），映像などがある。ＶＲＡＭやパレットＲＡＭ等を有するＶＤＰ２１４は、表示情報を受けてキャラクタジェネレータ２１２が生成した図柄データを読み込み、配色指定及びスプライト処理等の画像編集を行なってＶＲＡＭやパレットＲＡＭに図柄データを展開した上で、最終的に映像信号や同期信号等を特別図柄表示器２２に出力する。このときスプライト処理を実行して実現されるスプライト機能によって、前景図柄としての特別図柄だけでなく、背景図柄としての装飾図柄をも同時にまたは非同時に変動させることが可能になる。
【００２５】
具体的には次のような処理を行なって図柄の画像処理を実現する。すなわち、表示指令を受けたＣＰＵ２１０は、当該表示指令に基づいて表示データを取得してＲＡＭ２０４に記憶する。表示データは画像編集を行うためのデータ要素（例えばリーチパターンや特別図柄の番号や表示位置等のパラメータ）などが該当する。取得した表示データをＣＰＵ２１０がＶＤＰ２１４に伝達すると、当該ＶＤＰ２１４は表示データに基づいて図柄等のデータをキャラクタジェネレータ２１２から抽出し、配色指定及びスプライト処理等の画像編集を行った後、ＶＲＡＭやパレットＲＡＭ上にデータを展開する。そして、展開したデータを図柄信号に変換して特別図柄表示器２２に出力する。こうして表示データに基づいて編集した図柄等を特別図柄表示器２２に表示させることができる。また画像編集をハードウェアとしてのＶＤＰ２１４が行うので、特別図柄と装飾図柄を高速に表示することができる。
なお、メイン制御基板１００から送られた指令信号を受けて各種装置の作動を制御する枠制御基板やその他の基板等については、本発明の要旨と関連しないために図示および説明を省略する。上記各種装置としては、例えばハンドル４０が操作されるとパチンコ球を発射する発射装置や、球貸しや賞球のためにパチンコ球の払い出しを行う払出装置などが該当する。
【００２６】
上記のように構成したパチンコ機１０において、本発明を実現するためにメイン制御基板１００で行う手順について図４〜図８を参照して説明する。ここで図４には第１種始動口処理の手順を、図５には図柄変動処理の内容を、図６には変動表示処理の手順を、図７にはリーチ処理の手順を、図８には再変動処理の手順をそれぞれフローチャートで示す。これらの手順は、いずれも図３に示すメイン制御基板１００のＲＯＭ１１２に格納されている遊技制御プログラムをＣＰＵ１１０が適当なタイミング（例えば４ミリ秒ごとの周期）で実行して実現する。なお、以下の説明において「加算する」とは通常は１だけ保留球数を増やすことを意味するが、遊技状態等に応じて適宜に２以上ずつ増やす場合を含む。これに対して「減算する」とは、保留球数を減らす点を除いて加算する場合と同様である。また、第１種始動口３０と下部始動口６８とは同様に作動するので、説明を簡単にするために第１種始動口３０を例にして説明する。
【００２７】
図４に示す第１種始動口処理は、第１種始動口３０に対するパチンコ球の入賞判別を実現する。まず、第１種始動口３０にパチンコ球が入賞したか否かを判別する〔ステップＳ１０〕。具体的には、図２，図３に示す始動口センサ６０から検出信号を受けると入賞した（ＹＥＳ）と判別し、当該検出信号を受けなければ入賞していない（ＮＯ）と判別する。第１種始動口３０にパチンコ球が入賞すると（ＹＥＳ）、保留球数が上限値（満タン状態であって例えば４個）に達したか否かを判別する〔ステップＳ１２〕。保留球数が上限値に達していなければ（ＮＯ）、その保留球数を加算する〔ステップＳ１４〕。このとき加算した保留球数に応じて保留球ランプ２８の発光体を点灯する。その後、各種の乱数を読み込んで記憶し〔ステップＳ１６〕、第１種始動口処理を終了する。なお、第１種始動口３０にパチンコ球が入賞していない場合（ステップＳ１０のＮＯ）や、保留球数が上限値に達した場合（ステップＳ１２のＹＥＳ）には、そのまま第１種始動口処理を終了する。
【００２８】
ステップＳ１６で読み込んでＲＡＭ１１４に記憶する乱数には、大当たりか否かを判別するために用いる大当たり判定用乱数ＲＡや、その大当たり判定用乱数ＲＡによって大当たりと判別されたときに特別図柄表示器２２に表示する大当たり図柄（特定図柄の組み合わせ）を特定するために用いる大当たり図柄用乱数ＲＢ、特別図柄表示器２２に表示されたリーチ図柄（所定図柄の組み合わせ）等に応じてリーチに達してから変動を停止するまでの表示パターンを特定するために用いるリーチパターン乱数ＲＣ、大当たりになった後に確率変動を行うか否かを判別するために用いる確率変動用乱数ＲＤ等である。なお「リーチ」または「リーチ状態」とは、未だに変動している残りの特別図柄（第３図柄）を除き、他の特別図柄（第１図柄，第２図柄）がリーチ図柄と一致している状態を意味する。
【００２９】
図５に示す図柄変動処理は、特別図柄表示器２２で表示する図柄変動を実現する。まず保留球数が正数（すなわち保留球数＞０を満たす）か否かを判別する〔ステップＳ２０〕。保留球数が正数のときは（ＹＥＳ）、次回の処理に備えて保留球数を減算し〔ステップＳ２２〕、減算した保留球数に応じて保留球ランプ２８の発光体を点灯する。そして、上記ステップＳ１６で記憶した大当たり判定用乱数ＲＡを読み込み〔ステップＳ２４〕、変動表示処理を実行する〔ステップＳ２６〕。変動表示処理の具体的な手順について、図６を参照しながら説明する。
【００３０】
図６に示す変動表示処理は、図柄変動を開始してから停止するまでの表示を実現する。まず「大当たり」か否かを判別する〔ステップＳ４０〕。具体的には、上記ステップＳ２４で読み込んだ大当たり判定用乱数ＲＡが大当たり値と一致したか否かによって判別する。大当たり値は通常状態では１個であるが、遊技状態（例えば確率変動）等によっては複数個に増やしてもよい。もし「大当たり」と判別されたときは（ＹＥＳ）、図４のステップＳ１６で記憶した大当たり図柄用乱数ＲＢを読み込み〔ステップＳ４２〕、図柄変動を開始するために後述するステップＳ４４に進む。当該大当たり図柄用乱数ＲＢの値に応じて、最終的に停止して確定する予定の図柄（以下「停止予定図柄」と呼ぶ。）を決定する。一方、ステップＳ４０で「はずれ」と判別されたときは（ＮＯ）、はずれ図柄を特別図柄表示器２２に表示するためにはずれ図柄データをＲＡＭ１１４から読み込んだ後〔ステップＳ６０〕、当該はずれ図柄にリーチ図柄を含むか否かを判別する〔ステップＳ６２〕。リーチ図柄は第１図柄（例えば左図柄）と第２図柄（例えば右図柄）の組み合わせが該当し、多くのパチンコ機１０では同じ図柄（いわゆるゾロ目）である。もしリーチ図柄を含むならば（ＹＥＳ）、最終的には「はずれ」になるが途中でリーチに達するので後述するステップＳ４４に進む。もしリーチ図柄を含まなければ（ＮＯ）、後述するステップＳ６４に進む。
【００３１】
表示制御基板２００に表示指令を送って図柄変動を開始した後〔ステップＳ４４〕、リーチ処理を実行する〔ステップＳ４６〕。リーチ処理の具体的な手順について図７を参照しながら説明する。図７に示すリーチ処理は、リーチ表示およびリーチパターンに基づく変動を実現する。まず図４のステップＳ１６で記憶したリーチパターン乱数ＲＣを読み込み〔ステップＳ７０〕、リーチパターンを決定する〔ステップＳ７２〕。リーチパターンは特別図柄表示器２２に図柄を表示するための図柄表示パターンに相当し、ＲＯＭ２０２に複数記憶しておく。リーチパターンの決定方法としては、例えば専用の乱数で決定したり、ステップＳ７０で読み込んだリーチパターン乱数ＲＣとに基づいてデータテーブル等に従って決定する。こうしてリーチパターンを決定した後、変動パターンに基づいて図柄変動を継続し〔ステップＳ７４〕、その後にリーチ図柄を停止して表示する〔ステップＳ７６〕。
【００３２】
上記変動パターンは図柄群の変動態様（特別図柄の図柄変動）やアニメーション（背景図柄）等の表示を実現するパターンであり、例えば乱数やデータテーブル等を用いて決定する。図柄群の変動態様の中には、リールを回転させる態様の通常変動や、画面上の所定位置を中心にある方向に揺れ動かす態様の正逆変動、全図柄（左図柄，中図柄，右図柄）を同期させて変動する態様の全図柄変動などがある。また、図柄群の変動態様を実現する変動パターンには、複数の変動領域でそれぞれ変動を行う場合において変動中の変動速度や変動方向，停止する時期や順番等を含む。例えば変動パターンが異なれば停止する図柄の順番も異なるようにすると、停止順によってはリーチや大当たり等を期待する期待感も生じ得る。さらに、リーチ図柄は特別図柄表示器２２に表示するが、他の表示器のみや、その両方に表示してもよい。こうすれば、特別図柄表示器２２以外の表示器にもリーチ図柄等が表示されるので、リーチ図柄が何であるかを認識しやすくなる。なお、ステップＳ７６でリーチ図柄を表示する際には、リーチに達したことをより確実に認識させるために別個に遊技者に報知してもよい。当該報知手段としては、例えばアニメーション等を表示したり、音声や特定の効果音をスピーカ５０から出したり、遊技者が触れるハンドル４０や遊技者が座る椅子を振動させる等が該当する。そして、リーチ図柄の停止は図柄が静止する態様に限らず、基準位置を中心として任意の方向に任意の距離範囲で動かしてもよい。
【００３３】
リーチ図柄を表示した後、上記ステップＳ７２で決定したリーチパターンに基づいて図柄変動を行うリーチパターン表示処理を実行する〔ステップＳ７８〕。このリーチパターン表示処理の具体的な手順等は周知であるので、図示および説明を省略する。その後、未だに変動していた残りの図柄変動を停止する〔ステップＳ８０〕。ステップＳ８０を実行すると特別図柄表示器２２には第３図柄（例えば中図柄）が停止して表示され、変動による抽選結果として特別図柄（左図柄，中図柄，右図柄）が確定する。よって遊技者はどの特別図柄で確定したのかを認識できるが、より容易に認識できるようにするためには確定した図柄を拡大したり点滅する等で表示するとよい。そして、再変動を行うか否かを判別する〔ステップＳ８２〕。再変動を行うか否かは、例えば図５のステップＳ２４で読み込んだ大当たり判定用乱数ＲＡが第１所定値と一致したか否かによって判別してもよく、特別図柄表示器２２に表示された特別図柄が特定図柄の組み合わせ（例えば図柄の組み合わせ「５５５」や「７７７」等）と一致したか否かによって判別してもよい。もし、再変動を行うならば（ＹＥＳ）、再変動処理を実行する〔ステップＳ８４〕。当該再変動処理の具体的な内容について図８を参照しながら説明する。
【００３４】
図８に示す再変動処理は、全図柄変動による再変動を実現する。まず、同一要素で構成するとともに互いに逆方向に配列された図柄群を用いると、変動ラインで複数の大当たり図柄（特定図柄の組み合わせ）を形成することが可能となる。そこで、上記ステップＳ８０で停止して表示された大当たり図柄を基準として、第１ラインおよび第２ラインを含む変動ラインで用いる図柄群を全て同じ方向に所定図柄数（例えば図柄群のほぼ半周）分だけ視認可能な状態で変動させると〔ステップＳ９０〕、他の大当たり図柄で停止させることができる。次に、複数の変動ラインの全てを用いる図柄群を変動するための準備を行う〔ステップＳ９２〕。はずれ図柄を含む図柄群を用いると、全図柄変動を行う際に大当たり図柄を形成可能な有効ラインが一本しかないことがある。このとき、有効ラインを増やして全図柄変動による変動を面白くするため、上記複数の変動ラインで用いる図柄群を全て同じ方向に特別図柄表示器２２で見える範囲の図柄分だけ視認可能な状態で変動させる。なお、上記ステップＳ９０は特定の変動ラインで一の大当たり図柄しか形成し得ない場合には実行する必要がなく、ステップＳ９２はステップＳ８０で停止して表示した大当たり図柄の有効ラインによっては実行する必要がない。
【００３５】
そして、特定の変動ラインのいずれか一方で用いる図柄群を変動の変動方向とは逆方向に第２図柄数分（例えば４図柄）だけ視認可能な状態で変動させ〔ステップＳ９４〕、その後に上記変動ラインで用いる図柄群を全て同じ方向に第１図柄数（例えば２図柄）分だけ視認可能な状態で変動させる〔ステップＳ９６〕。第２過程に相当するステップＳ９４を実行すると他の大当たり図柄を形成し、第１過程に相当するステップＳ９６を実行すると大当たり図柄を移動させることができる。よって、ステップＳ９４，Ｓ９６の両ステップを実行した時点で、非同時に行う図柄群の変動を実現することができる。なお、ステップＳ９４，Ｓ９６の両ステップを実行すれば全図柄変動が実現されるので、ステップＳ９６を実行した後にステップＳ９４を実行してもよい。
【００３６】
再変動を終えるタイミングに達するまで上記ステップＳ９４，Ｓ９６を繰り返し実行する〔ステップＳ９８〕。再変動を行う期間は任意であって、固定期間であってもよく、乱数等で決定する不定期間であってもよい。再変動を行う期間を経過すると最終的な特別図柄が確定し、特別図柄表示器２２に表示される。その後、上記ステップＳ９２と同様に、図柄群の変動による全図柄変動の結果として特別図柄を確定するための調整を行う〔ステップＳ１００〕。はずれ図柄を含む図柄群を用いた場合であって、ステップＳ８０を実行して停止した特別図柄と同じ有効ライン上で特別図柄を確定させたい場合に実行する。こうすれば、同じ有効ライン上で確定するので違和感がない。よって、他の有効ラインで確定させる場合にはステップＳ１００を実行する必要はない。こうして特別図柄表示器２２に確定した特別図柄を表示した後、リーチ処理を終了する。
【００３７】
リーチ処理を終えると図６に戻り、確率変動を行うか否かを判別する〔ステップＳ４８〕。確率変動を行うか否かは、例えば図４のステップＳ１６で記憶した確率変動用乱数ＲＤが第２所定値と一致したか否かによって判別してもよく、特別図柄表示器２２に表示された特別図柄と装飾図柄が所定の関係になっているか否かによって判別してもよい。もし確率変動であるときは（ＹＥＳ）、確率変動処理を実行した後〔ステップＳ５０〕、変動表示処理を終了する。確率変動処理を実行すると、今回の大当たり遊技終了後から次回の大当たりになるまで、変動後に大当たり図柄で停止して大当たりになる確率が高まり、特別図柄の図柄変動期間が短縮される。同様に変動後に当たり図柄で停止して当たりになる確率が高まり、普通図柄の図柄変動期間が短縮される。確率変動処理の具体的な手順等は周知であるので、図示および説明を省略する。一方、ステップＳ４８において確率変動でないときは（ＮＯ）、そのまま変動表示処理を終了する。ここで、ステップＳ６２においてリーチ図柄でなければ（ＮＯ）、ステップＳ４４と同様に図柄変動を開始し〔ステップＳ６４〕、はずれ変動パターンに基づいて図柄変動を行なってからはずれ図柄で停止し〔ステップＳ６６〕、ステップＳ４８に進む。上記ステップＳ６４，Ｓ６６ではそれぞれ対応する表示指令を表示制御基板２００に送って実現する。
【００３８】
変動表示処理を終えると図５に戻り、大当たりか否かを判別する〔ステップＳ２８〕。外来ノイズ等の影響を受けにくく信頼性が高いパチンコ機１０では、上記大当たり判定用乱数ＲＡに基づいて「大当たり」か否かを判別する。なお、必要に応じて実際に特別図柄表示器２２に表示された特別図柄が大当たり図柄と一致するか否かによって大当たりか否かを判別してもよい。その他、特別図柄表示器２２に表示された特別図柄と装飾図柄が所定の関係になっているか否かによって判別してもよい。もし「大当たり」ならば（ＹＥＳ）、大当たり処理を行い〔ステップＳ３０〕、図柄変動処理を終了する。大当たり処理は、例えば大入賞口３４の蓋７４を一定期間（例えば３０秒間）だけ開放し、入賞したパチンコ球の数に応じて賞球を払い出す等の大当たり遊技を行う。一方、ステップＳ２８の判別で「はずれ」ならば（ＮＯ）、そのまま図柄変動処理を終了する。
【００３９】
次に、図４〜図８に示す各処理を実行して特別図柄表示器２２に特別図柄を表示する例について、図１０〜図１２を参照しながら説明する。図１０〜図１２に示す例は「大当たり」になるケースを示すものであり、数多く発生する「はずれ」のケースについては図示および説明を省略する。なお、パチンコ機１０は変動後に特別図柄（左図柄，中図柄，右図柄）が全て同じ図柄で停止すると「大当たり」になるように構成されていると仮定する。また、図示および説明を簡単にするために横一列を有効ラインとする。
【００４０】
図１０〜図１２に示す例において、特別図柄表示器２２に備えた３つの変動領域に変動または停止して表示する図柄群（すなわち特別図柄）を図９に示す。図９に示す特別図柄は、変動領域ごとに対応して左図柄群８０，中図柄群８２，右図柄群８４を有する。これらの左図柄群８０，中図柄群８２，右図柄群８４は説明を簡単にするために、数字の「０」から「９」までの１０種類の図柄と、図形「☆」のはずれ図柄とからなる。中図柄群８２と右図柄群８４は同じ配列になっているが、左図柄群８０の配列順とは逆順になっている。また変動している図柄群が図９の状態で停止すると、特定図柄の組み合わせ「４４４」，「９９９」でゾロ目の大当たり図柄になる。
【００４１】
複数の変動ラインの全てを用いる図柄群の変動を非同時に行うことにより特別図柄表示器２２で全図柄変動を実現する態様の一例について、図１０〜図１２を参照しながら説明する。パチンコ球が第１種始動口３０に入賞すると、図１０（Ａ）に示すように変動パターンに基づいて左図柄群８０，中図柄群８２，右図柄群８４がほぼ同時に図柄変動を開始する｛図６のステップＳ４４｝。左図柄群８０，中図柄群８２，右図柄群８４の変動は、いずれも画面上側から下側に向かってスクロールする。その後に図柄変動を停止すると｛図７のステップＳ８０｝、例えば図１０（Ｂ）において破線で示すように特別図柄が中段横一列の有効ライン上に大当たり図柄「４４４」が停止して大当たりになっている。
【００４２】
次に再変動処理では、複数の変動ラインで用いる左図柄群８０，中図柄群８２，右図柄群８４（以下、単に「全図柄群」と呼ぶ。）を全てほぼ半周分だけ視認可能な状態で変動させると｛図８のステップＳ９０｝、中段横一列の有効ライン上に停止していた大当たり図柄「４４４」を図１０（Ｃ）において破線で示すように大当たり図柄「９９９」に変更している。その後、全図柄群を全て同じ方向に特別図柄表示器２２で見える範囲の図柄分だけ視認可能な状態で変動させると｛図８のステップＳ９２｝、大当たり図柄「９９９」を図１１（Ａ）に示すように下段横一列の有効ライン上に位置させている。そして、左ライン（第１ライン）で用いる左図柄群８０を画面上方向に４図柄分だけ視認可能な状態で変動させると｛図８のステップＳ９４｝、図１１（Ｂ）に示すように上段横一列の有効ライン上に大当たり図柄「０００」を形成している。その後、全図柄群を全て画面下方向に２図柄分だけ視認可能な状態で変動させると｛図８のステップＳ９６｝、上段横一列の有効ライン上に位置していた大当たり図柄「０００」を図１１（Ｃ）に示すように下段横一列の有効ライン上に移動させている。こうして非同時ではあるが、複数の変動ラインについて図柄群の変動を実現することができる。
【００４３】
さらに図８のステップＳ９４，Ｓ９６をもう一度実行すると、図１２（Ａ）に示すように上段横一列の有効ライン上に大当たり図柄「１１１」を形成し、さらに図１２（Ｂ）に示すように下段横一列の有効ライン上に移動させることができる。この時点で再変動を終えると｛図８のステップＳ９８のＹＥＳ｝、図柄変動による抽選結果は大当たり図柄「１１１」で確定する。その後、特別図柄表示器２２には図１２（Ｃ）に示すように『大当り』という文字が大きく表示され、さらに大当たり遊技が行われて大入賞口３４が一時的に開く。よって、遊技者はパチンコ球を入賞させて多くの賞球を獲得する機会が得られる。なお、上記の例では下段横一列の有効ライン上に大当たり図柄を「９９９」→「０００」→「１１１」→「２２２」→…→「８８８」のように形成するため、第２過程に相当するステップＳ９４を実行した後に、第１過程に相当するステップＳ９６を実行した。もし上段横一列の有効ライン上に大当たり図柄を「９９９」→「８８８」→「７７７」→「６６６」→…→「０００」のように形成するには、第１過程に相当するステップＳ９６を実行した後に、第２過程に相当するステップＳ９４を実行することによって実現することができる。
【００４４】
上記実施の形態１によれば、以下に示す効果を得ることができる。
（１）請求項２に対応し、変動している図柄群が有効ライン上に例えば大当たり図柄「４４４」（第１の特定図柄の組み合わせ）で表示されると、次の二つの過程を行う。すなわち、複数の変動ラインで用いる左図柄群８０，中図柄群８２，右図柄群８４を全て同じ方向に２図柄（所定の第１図柄数）分だけ視認可能な状態で変動させる第１過程と｛図８のステップＳ９６｝、左図柄群８０（第１ライン）を第１過程の変動方向と逆方向に４図柄（所定の第２図柄数）分だけ視認可能な状態で変動させる第２過程である｛図８のステップＳ９４｝。こうして結果として複数の変動ラインの全てを用いる図柄群の変動を実現することができ、また当該変動を非同時に行うので変動の変化が生じて面白い。
（２）請求項３に対応し、まず複数の変動ラインで用いる左図柄群８０，右図柄群８４は、ともに「４４４」や「９９９」のように複数の大当たり図柄（特定図柄の組み合わせ）を構成し得ることができ、当該左図柄群８０，右図柄群８４の構成要素を互いに逆方向に配列している｛図９参照｝。そして、変動している図柄群が有効ライン上に大当たり図柄「４４４」（第１の特定図柄の組み合わせ）で表示されると、第１ラインおよび第２ラインで用いる図柄群を視認可能な状態で同じ方向に変動させ、その後に有効ライン上に大当たり図柄「９９９」（第２の特定図柄の組み合わせ）を表示する。よって左図柄群８０，右図柄群８４の構成要素を互いに逆方向に配列した場合に同一方向に変動させても、当該図柄群の変動を実現することができる。また、左図柄群８０，右図柄群８４を視認可能な状態で変動させるので、遊技者は図柄の変化を目で追えて最終的にどの図柄の組み合わせで停止するかを例えば変動速度の減速率等に基づいて予測することが可能になる。さらに、変動の前後で左図柄群８０，右図柄群８４の配列が同じであるので違和感がない。
（３）請求項４に対応し、大当たり図柄「４４４」（第１の特定図柄の組み合わせ）と大当たり図柄「９９９」（第２の特定図柄の組み合わせ）とを、それぞれ同一図柄の組み合わせとした。すなわち、変動している図柄群がゾロ目で停止し、その後さらに変動を行なってゾロ目で停止する。よって左図柄群８０，右図柄群８４の構成要素を互いに逆方向に配列しても、左図柄群８０，右図柄群８４の変動をゾロ目で実現することができる。
【００４５】
〔実施の形態２〕
実施の形態２は実施の形態１と同様に第１種パチンコ機に本発明を適用した例であって、複数の変動ラインで同時に変動を行うことにより全図柄変動を実現する例について説明する。本実施の形態２は図１３〜図１５を参照しながら説明する。なお、パチンコ機１０の構成等は実施の形態１と同様であるので、説明を簡単にするために実施の形態２では実施の形態１と異なる点について説明する。また、図１３〜図１５において実施の形態１に示す要素（図８，図１０等）と同一の要素には同一の符号を付して説明を省略する。
実施の形態２が実施の形態１と異なる点は、再変動処理における繰り返し処理である。すなわち、実施の形態１では複数の変動ラインの全てを用いる図柄群の変動を非同時に行うことにより特別図柄表示器２２で全図柄変動を実現した点で（図８のステップＳ９４，Ｓ９６）、上記複数の変動ラインのうちの特定の変動ラインについて互いに逆方向に図柄群の変動をほぼ同時に行う実施の形態２と異なる（図１３のステップＳ９５）。より具体的には図１３に示す再変動処理において、再変動を終えるまでの期間に〔ステップＳ９８〕、特定の変動ラインで用いる図柄群を視認可能な状態で互いに逆方向に変動させ、有効ライン上に第２の特定図柄の組み合わせで停止させる〔ステップＳ９５〕。よって特定の変動ラインに用いる図柄群の構成要素を互いに逆方向に配列しても、全図柄変動を実現することができる。また、全図柄変動の前後で同じ配列であるので違和感がない。
【００４６】
次に、特定の変動ラインで用いる図柄群を視認可能な状態で互いに逆方向に変動させることにより、特別図柄表示器２２で全図柄変動を実現する態様の一例について図１４，図１５を参照しながら説明する。この一例は実施の形態１と同様に、図４〜図７，図１４に示す各処理を実行して特別図柄表示器２２に特別図柄を表示する例である。なお、特に断らない限り実施の形態１と同じ条件で行う。パチンコ球が第１種始動口３０に入賞すると、図１０（Ａ）に示すように変動パターンに基づいて左図柄群８０，中図柄群８２，右図柄群８４がほぼ同時に図柄変動を開始する｛図６のステップＳ４４｝。左図柄群８０，中図柄群８２，右図柄群８４の変動は、いずれも画面上側から下側に向かってスクロールする。その後に図柄変動を停止すると｛図７のステップＳ８０｝、例えば図１４（Ａ）において破線で示すように特別図柄が中段横一列の有効ライン上に大当たり図柄「４４４」が停止して大当たりになっている。
【００４７】
次に再変動処理では、特定の変動ラインで用いる左図柄群８０と右図柄群８４を視認可能な状態で互いに逆方向に変動させる｛図１３のステップＳ９５｝。具体的には、図１４（Ａ）に示す状態から左図柄群８０を画面上方向に、中図柄群８２および右図柄群８４を画面下方向にそれぞれ１図柄分だけ変動すると、図１４（Ｂ）に示すような状態になる。同様にして互いに逆方向に１図柄分だけ変動すると、図１４（Ｃ）に示すように中段横一列の有効ライン上に大当たり図柄「５５５」が形成される。さらに１図柄分だけ変動すると図１５（Ａ）に示すような状態になり、もう１図柄分だけ変動すると、図１５（Ｂ）に示すように中段横一列の有効ライン上に大当たり図柄「６６６」が形成される。この場合に図１４（Ａ）→図１４（Ｂ）→図１４（Ｃ）→図１５（Ａ）→図１５（Ｂ）に移行する過程については、途中で一時的に停止させてコマ送りのようにしてもよく、一時的な停止をすることなく連続的に変動を行なってもよい。上記の例では左図柄群８０と右図柄群８４を視認可能な状態で互いに逆方向に２図柄分ずつ変動させると、中段横一列の有効ライン上に大当たり図柄を「４４４」→「５５５」→「６６６」→「７７７」→…→「３３３」のように形成することができる。
【００４８】
なお、上記の例では特定の変動ラインで用いる図柄群を視認可能な状態で互いに逆方向に同一図柄数分だけ変動させて、中段横一列の有効ライン上に大当たり図柄を形成した。同一段で大当たり図柄を形成しない場合には、特定の変動ラインで用いる図柄群視認可能な状態で互いに逆方向に異なる図柄数分だけ変動させて、有効ライン上に大当たり図柄を形成することも可能である。例えば図１４（Ａ）に示す状態から左図柄群８０を画面上方向に３図柄分だけ変動し、中図柄群８２および右図柄群８４を画面下方向に１図柄分だけ変動すると、図１５（Ｃ）に示すように上段横一列の有効ライン上に大当たり図柄「５５５」が形成される。そして、今度は左図柄群８０を画面上方向に１図柄分だけ変動し、中図柄群８２および右図柄群８４を画面下方向に３図柄分だけ変動すると、図１５（Ｂ）に示すように中段横一列の有効ライン上に大当たり図柄「６６６」が形成される。よって互いに逆方向に異なる図柄数分だけ変動させた場合であっても、全図柄変動を実現することができる。
【００４９】
上記実施の形態２によれば、以下に示す効果を得ることができる。
（１）請求項１に対応し、まず複数の変動ラインに含まれる第１ラインおよび第２ラインで用いる左図柄群８０，右図柄群８４は、ともに「４４４」や「９９９」のように複数の大当たり図柄（特定図柄の組み合わせ）を構成し得ることができ、当該左図柄群８０，右図柄群８４の構成要素を互いに逆方向に配列している｛図９参照｝。そして、変動している左図柄群８０，右図柄群８４が有効ライン上に大当たり図柄「４４４」（第１の特定図柄の組み合わせ）で表示されると、左図柄群８０および右図柄群８４（第１ラインおよび第２ライン）を視認可能な状態で互いに逆方向に変動させ、有効ライン上に大当たり図柄「５５５」（第２の特定図柄の組み合わせ）で停止させる｛図１３のステップＳ９５｝。よって左図柄群８０，右図柄群８４の構成要素を互いに逆方向に配列しても、左図柄群８０，右図柄群８４の変動を実現することができる。また、左図柄群８０，右図柄群８４を視認可能な状態で変動させるので、遊技者は図柄の変化を目で追えて最終的にどの図柄の組み合わせで停止するかを例えば変動速度の減速率等に基づいて予測することが可能になる。さらに、変動の前後で左図柄群８０，右図柄群８４の配列が同じであるので違和感がない。
（２）請求項３，請求項４との関係では実施の形態１と同様の効果を奏する。
【００５０】
〔他の実施の形態〕
上述したパチンコ機１０（遊技機）において、他の部分の構造，形状，大きさ，個数，配置および動作条件等については、上記実施の形態に限定されるものでない。例えば、上記実施の形態を応用した次の各形態を実施することもできる。
（１）上記実施の形態では、パチンコ機１０に本発明を適用した。この形態に代えて、パチンコ機以外の他の遊技機（例えばパチスロ機，アレンジボール機，雀球遊技機，テレビゲーム機等）であって複数の図柄からなる図柄群を複数の変動ラインで変動または停止して表示する表示部を備えたものにも同様に本発明を適用することができる。当該他の遊技機であっても、遊技者は違和感を感ずることなく、図柄の変化を目で追えて最終的にどの図柄の組み合わせで停止するかを予測することができる。
【００５１】
（２）上記各実施の形態では、特定の変動ラインで行う変動の変動方向を画面の上下方向とした｛図１１，図１２等参照｝。この形態に代えて、変動方向を画面の左右方向としてもよく、上下方向と左右方向とを適宜に切り換えて変動を行なってもよい。この形態でも各実施の形態と同様の効果を得ることができる。
【００５２】
（３）上記各実施の形態では、３段（３行）・３列で特別図柄を表示するパチンコ機１０に本発明を適用したが、これはｎ段・ｍ列（ｎ≧２，ｍ≧２）で特別図柄を表示するパチンコ機の一例に過ぎない。よって、他のｎ段・ｍ列（例えば２段・２列や３段・４列など）で特別図柄を表示するパチンコ機にも本発明を適用することが可能である。また、両端の列を除く中側の列ついてはｎ段に限らず、ｎ段よりも少ない段数で表示するパチンコ機にも本発明を適用してもよい。これらの形態であっても、各実施の形態と同様の効果を得ることができる。
【００５３】
（４）上記各実施の形態では、横一列の有効ライン上に表示された大当たり図柄について全図柄変動を行なって、同じ段（または異なる段）の横一列の有効ライン上に他の大当たり図柄を表示した｛図８のステップＳ９４，Ｓ９６、図１０等参照｝。この形態に代えて（あるいは加えて）、横一列の有効ライン上に表示された大当たり図柄について全図柄変動を行うと、斜め一列の有効ライン上に他の大当たり図柄を表示するようにしてもよい。同様に、斜め一列の有効ライン上に表示された大当たり図柄について全図柄変動を行うと、横一列の有効ライン上に他の大当たり図柄を表示するようにしてもよい。画面の左右方向に変動を行うタイプのパチンコ機では、上記横一列は縦一列になる。こうすれば、変動がより多彩になるので変化に面白味がさらに生ずる。
【００５４】
（５）上記各実施の形態では、キャラクタジェネレータ２１２を記録部６として適用した。この形態に代えて（あるいは加えて）、ＲＯＭ２０２、ＲＡＭ２０４、メイン制御基板１００または通信制御回路１１６，２０６を通じて通信可能なホールコンピュータ内のＲＯＭやＲＡＭ、ディスク装置でアクセス可能なフレキシブルディスク，ハードディスク，光磁気ディスク等のディスク媒体、カード装置でアクセス可能なプリペイドカード，ＩＣカード，紙カード等のカード類、あるいは読取装置でアクセス可能な文字や記号等を印刷した印刷物等を適用してもよい。こうした記録装置や記録媒体であっても、特定の変動ラインで用いられ同一要素で構成するとともに互いに逆方向に配列した図柄群を適切に記憶（記録）することができる。
【００５５】
（６）上記各実施の形態では、数字の図柄（例えば「０」から「９」まで）と、図形のはずれ図柄「☆」とで構成した図柄群を用いて、図柄群ごとに変動を行う複数の変動ラインを形成した｛図９参照｝。この形態に代えて、例えば図１６に示すような構成からなる他の図柄群ごとに変動を行う複数の変動ラインを形成してもよい。ただし、左図柄群８０と、中図柄群８２および右図柄群８４との配列順は実施の形態と同様にしている。これらの構成であっても複数の変動ラインの全てを用いる図柄群の変動を実現することができるので、実施の形態と同様の効果を得ることができる。なお、任意のタイミングで図柄群を変更（切換）することにより、図柄表示を変化させることができる。
（６ａ）図１６（Ａ）に示すように、同じ種類の図柄のみで複数の図柄群（左図柄群８０，中図柄群８２，右図柄群８４）を構成する。図１６（Ａ）の例では数字の図柄のみで構成しているが、文字の図柄，図形の図柄，キャラクタ等のように他の種類の図柄のみで構成してもよい。
（６ｂ）図１６（Ｂ）に示すように、複数の図柄群のうち少なくとも一の図柄群について構成要素の数を他の図柄群と異ならせる。図１６（Ｂ）の例では、左図柄群８０および右図柄群８４とは同じ１０個の構成要素で構成し、中図柄群８２は１０個のはずれ図柄「☆」をさらに含めて２０個の構成要素で構成する。
（６ｃ）図１６（Ｃ）に示すように、複数の図柄群のうち少なくとも一の図柄群の構成を他の図柄群の構成と異ならせる。図１６（Ｃ）の例では、左図柄群８０と右図柄群８４とを同じ構成要素で構成し、中図柄群８２をオールマイティ図柄（例えばトランプのスペードを模した図柄）をさらに構成要素として含める。
（６ｄ）その他、同じ図柄（例えば数字の図柄「７」）を複数個含む図柄群や、複数個の図柄をランダムに配列した図柄群などのように、任意の図柄からなる図柄群を用いて複数の変動ラインを形成してもよい。
【００５６】
（７）上記各実施の形態では、変動している図柄群を停止した後に再変動する表示態様によって本発明を実現した｛図８の再変動処理，図１１の画面表示等を参照｝。この形態に代えて、図１７，図１８に示すような他の表示態様によって本発明を実現してもよい。
（７ａ）図１７に示す例は「全図柄リーチ」と呼ばれる表示態様であり、初めに複数の変動ラインについて同じ方向に変動を行い（図１７（Ａ））、その後に少なくとも一の変動ラインの変動方向を異ならせる（図１７（Ｂ））。そして、コマ送り（低速変動）で変動を継続し（図１７（Ｃ））、最終的に確定する図柄を表示する（図１７（Ｄ））。図１７（Ｂ）と図１７（Ｃ）に示すように、左図柄群８０と中図柄群８２および右図柄群８４とで図柄群の変動方向が異なっている期間は中段横一列でゾロ目が形成される。（７ｂ）図１８に示す例は、初めに複数の変動ラインについて同じ方向に変動を行い（図１８（Ａ））、その後に一時的に停止する（図１８（Ｂ））。このとき特定の図柄（上記オールマイティ図柄等）が特定の位置に表示されると、当該特定の図柄以外の図柄群にかかる変動ラインについて変動を行う。図１８（Ｂ）の例では画面中央部にオールマイティ図柄が表示されたので、左図柄群８０と右図柄群８４でコマ送り（低速変動）による再変動を行い（図１８（Ｃ））、最終的に確定する図柄を表示する（図１８（Ｄ））。なお、「オールマイティ図柄」とは有効ライン上にある他の図柄と同じ図柄とみなす図柄を意味し、図１８（Ｄ）の例では図柄「５」とみなされる。
【００５７】
（８）上記各実施の形態では、特別図柄表示器２２の画面に対して上下方向に図柄群をスクロール変動させた｛図１０〜図１２等参照｝。しかし、本発明はスクロール変動に限るものではなく、スクロール変動以外の変動態様にも適用することができる。例えば、図柄の移動表示を伴わずに各図柄群にそれぞれ属する図柄の表示位置を順番に変更する変動態様であっても、図柄群の配列や有効ライン上に表示する図柄の順等の構成を同じくする変動態様であれば、本発明を適用することができる。図１９（Ａ）〜図１９（Ｃ）はその一例を示すものであり、表示部に表示された各図柄（図１９（Ａ））がそれぞれ回転し反転して（図１９（Ｂ））、別の図柄に変化する（図１９（Ｃ））ものである。ここで、図１９（Ａ）の例は実施の形態２における図１５（Ａ）の例に対応し、図１９（Ｃ）の例は同じく図１５（Ｂ）の例に対応している。なお、回転方向の変動は反転（半回転），１回転，複数回転等のいずれでもよく、任意のタイミングで逆方向に回転してもよい。また、上下方向，左右方向のスクロールと、当該回転して反転する変動とを任意に組み合わせて変動する態様であってもよい。こうすれば変動態様が多様化するので、多様な変動態様を見る楽しみを遊技者に与えることができる。さらには大当たりになり易さ（期待度）に応じて変動態様を変化させると、遊技者は大当たりになる期待感を持って変動を見ることができる。
【００５８】
以上、本発明の実施の形態について説明したが、この実施の形態には特許請求の範囲に記載した発明の態様のみならず他の発明の態様を有するものである。この発明の態様を以下に列挙するとともに、必要に応じて関連説明を行う。
【００５９】
〔態様１〕複数の図柄からなる図柄群を変動または停止して表示可能な表示部を備え、変動している前記図柄群が有効ライン上に特定図柄の組み合わせで停止すると遊技者に特典を与える遊技機において、前記表示部には前記図柄群ごとに変動を行う複数の変動ラインを備え、前記複数の変動ラインごとに対応する図柄群を第１グループと第２グループとに区分し、前記第１グループに属する少なくとも一の図柄群と、前記第２グループに属する少なくとも一の図柄群とは、ともに特定図柄の組み合わせを構成し得る図柄を含むとともに、当該図柄群の構成要素を互いに逆方向に配列し、変動している図柄群が前記有効ライン上に第１の特定図柄の組み合わせで表示されると、前記第１グループと第２グループとにそれぞれ属する少なくも一の図柄群を視認可能な状態で互いに逆方向に変動させ、その後に前記有効ライン上に第２の特定図柄の組み合わせで表示する遊技機。
〔態様１の関連説明〕本態様によれば、例えば左図柄群８０を第１グループに、中図柄群８２および右図柄群８４を第２グループにそれぞれ区分する。第１グループに属する図柄群と第２グループに属する図柄群とは、ともに「４４４」や「９９９」等のような特定図柄の組み合わせを構成し得る図柄を含むとともに、当該図柄群の構成要素を互いに逆方向に配列する（図９参照）。そして、変動している図柄群が大当たり図柄で表示されると、第１グループと第２グループとにそれぞれ属する少なくも一の図柄群を視認可能な状態で互いに逆方向に変動させ、その後に他の大当たり図柄で表示する。こうして複数の変動ラインの全てを用いる図柄群の変動を実現することができ、遊技者は図柄の変化を目で追えて予測することが可能になり、変動の前後で違和感がない。
【符号の説明】
【００６０】
１０  パチンコ機（遊技機）
１４  複合装置
２２  特別図柄表示器（表示部）
２６  普通図柄表示器
３０  第１種始動口
３２  ゲート
５８  ゲートセンサ
６０，６６  始動口センサ
６８  下部始動口
８０  左図柄群（第１ラインに用いる図柄群）
８２  中図柄群
８４  右図柄群（第２ラインに用いる図柄群）
１００  メイン制御基板（遊技制御部）
１１０，２１０  ＣＰＵ
１１２，２０２  ＲＯＭ
１１４，２０４  ＲＡＭ
２００  表示制御基板（表示制御部）
２１２  キャラクタジェネレータ（記録部）
２１４  ＶＤＰ
【図１】
2010063938.tif 000003
【図２】
2010063938.tif 000004
【図３】
2010063938.tif 000005
【図４】
2010063938.tif 000006
【図５】
2010063938.tif 000007
【図６】
2010063938.tif 000008
【図７】
2010063938.tif 000009
【図８】
2010063938.tif 000010
【図９】
2010063938.tif 000011
【図１０】
2010063938.tif 000012
【図１１】
2010063938.tif 000013
【図１２】
2010063938.tif 000014
【図１３】
2010063938.tif 000015
【図１４】
2010063938.tif 000016
【図１５】
2010063938.tif 000017
【図１６】
2010063938.tif 000018
【図１７】
2010063938.tif 000019
【図１８】
2010063938.tif 000020
【図１９】
2010063938.tif 000021